(57)【要約】【課題】簡易な構造で、人手によることなく通帳や証書等の媒体の装填や発行を可能とする。【解決手段】搬送路と、前記搬送路側に開口部を有し、媒体を集積して収納する保管庫と、前記保管庫に集積されている媒体の下側に、前記搬送路から前記開口部に向けて搬送される媒体を前記保管庫に装填するための空間を形成する機構部と、を備える。【選択図】  図３
2017138838.tif 000002
【特許請求の範囲】
【請求項１】
搬送路と、
前記搬送路側に開口部を有し、媒体を集積して収納する保管庫と、
前記保管庫に集積されている媒体の下側に、前記搬送路から前記開口部に向けて搬送される媒体を前記保管庫に装填するための空間を形成する機構部と、
を備えることを特徴とする媒体発行装置。
【請求項２】
前記機構部は、前記保管庫の底面よりも下側に回転軸を有した扇型のローラを回転駆動させて前記集積されている媒体を持ち上げることにより、前記空間を形成する、
ことを特徴とする請求項１に記載の媒体発行装置。
【請求項３】
前記機構部は、前記集積されている媒体を保持または開放可能なレバーを有した引き上げ機構により前記媒体を集積方向に引き上げることにより、前記空間を形成する、
ことを特徴とする請求項１に記載の媒体発行装置。
【請求項４】
操作表示部と、
前記操作表示部が受け付けた操作に基づいて前記保管庫への媒体の装填処理を実行し、前記装填処理が実行された媒体の装填状況を前記操作表示部に表示する制御部と、
を備えることを特徴とする請求項１に記載の媒体発行装置。
【請求項５】
搬送される媒体を集積して収納する保管庫であって、
搬送路側に設けられた開口部と、
集積されている媒体の下側に、前記搬送路から前記開口部に向けて搬送される媒体を装填するための空間を形成する機構部と、
を備えることを特徴とする保管庫。
【発明の詳細な説明】
【技術分野】
【０００１】
本発明は、銀行等の金融機関にて使用される媒体発行装置、媒体装填方法に関するものである。
【背景技術】
【０００２】
従来から、通帳証書発行装置は、銀行等の金融機関の係員により使用され、エンドユーザが新規口座を開設されたときに、通帳や証書を発行する装置である。通帳は、装置内の複数のホッパにセットされており、そこから、当該の通帳が発行されるものである。よって、一日の業務が終わった後には、その日に発行された分だけ通帳が減るため、補充する必要がある。その補充方法は、複数あるホッパに直接的にアクセスし通帳を補充する操作を行っている（例えば、特許文献１）。
【先行技術文献】
【特許文献】
【０００３】
【特許文献１】特開２０１４−２２８９４７号公報
【発明の概要】
【発明が解決しようとする課題】
【０００４】
従来より、通帳証書発行装置に通帳を装填する操作は、人が直接ホッパあるいは、カセットにアクセスして通帳を装填していた。よって、複数あるホッパに通帳を装填する場合は、それぞれのホッパにアクセスして通帳を手装填する必要があった。例えば、上記特許文献１では、営業店の係員が、カセット収納部１４に装着される通帳カセット１２に通帳をセットし、その通帳カセット１２をカセット収納部１４に装着して補充している。
【０００５】
また、ＡＴＭの紙幣部のように、装填専用のホッパあるいはカセットを設ける構造は、装置サイズが大きくなってしまったり、構造が複雑になることから、装置のコストアップに繋がる課題があった。
【０００６】
本発明は、上記に鑑みてなされたものであって、簡易な構造で、人手によることなく通帳や証書等の媒体の装填や発行が可能な媒体発行装置、保管庫を提供することを目的とする。
【課題を解決するための手段】
【０００７】
上述した課題を解決し、目的を達成するために、本発明にかかる媒体発行装置は、搬送路と、前記搬送路側に開口部を有し、媒体を集積して収納する保管庫と、前記保管庫に集積されている媒体の下側に、前記搬送路から前記開口部に向けて搬送される媒体を前記保管庫に装填するための空間を形成する機構部と、を備えることを特徴とする媒体発行装置として構成される。
【０００８】
また、本発明は、搬送される媒体を集積して収納する保管庫であって、搬送路側に設けられた開口部と、集積されている媒体の下側に、前記搬送路から前記開口部に向けて搬送される媒体を装填するための空間を形成する機構部と、を備えることを特徴とする保管庫としても把握される。
【発明の効果】
【０００９】
本発明によれば、簡易な構造で、人手によることなく通帳や証書等の媒体の装填や発行が可能となる。
【図面の簡単な説明】
【００１０】
【図１】通帳証書発行装置の内部構成図である。
【図２】第一の実施形態における通帳ホッパ部と、装填または繰出される通帳との関係を示す図である。
【図３】第一の実施形態における通帳ホッパ部と、装填または繰出される通帳との関係を示す図である。
【図４】第一の実施形態における通帳ホッパ部と、装填または繰出される通帳との関係を示す図である。
【図５】第一の実施形態における通帳ホッパ部と、装填または繰出される通帳との関係を示す図である。
【図６】第一の実施形態における通帳ホッパ部と、装填または繰出される通帳との関係を示す図である。
【図７】第二の実施形態における通帳ホッパ部と、装填または繰出される通帳との関係を示す図である。
【図８】第二の実施形態における通帳ホッパ部と、装填または繰出される通帳との関係を示す図である。
【図９】第二の実施形態における通帳ホッパ部と、装填または繰出される通帳との関係を示す図である。
【図１０】第二の実施形態における通帳ホッパ部と、装填または繰出される通帳との関係を示す図である。
【図１１】第二の実施形態における通帳ホッパ部と、装填または繰出される通帳との関係を示す図である。
【図１２】通帳証書発行装置で行われる処理のフローチャートを示す図である。
【図１３】操作部が表示する選択画面の例を示す図である。
【図１４】操作部が表示する実行画面の例を示す図である。
【図１５】操作部が表示する詳細画面の例を示す図である。
【発明を実施するための形態】
【００１１】
以下、本発明の第一の実施形態について図面を使用しながら詳細に説明する。以下では、主に媒体として通帳を装填または発行する場合について記載しているが、保管庫に集積して収納されるものであれば、証書等の他の媒体についても同様に適用することができる。
【００１２】
図１は、本発明にかかる媒体発行装置を適用した通帳証書発行装置１の側面図である。図１において、証書処理ユニット７に設けられている通帳一括記帳／装填ホッパ２にセットされた通帳は、装填搬送ルート４２を搬送ローラ８によって搬送され、搬送路内に複数具備されている通過センサ９を通過して、通帳証書ユニット４や通帳ホッパユニット５、６が有する通帳ホッパ部３へと搬送される。通帳は、通帳証書処理ユニット７に設けられているＭＳヘッド５０により読み取られ、いずれかの通帳ホッパ部３まで搬送される。操作部１０は、通帳の搬送先となる通帳ホッパ部３や通帳に対して実行する処理に対する操作を受け付ける。上記装填ホッパ２には、通帳が装填されたことを検知するための有無検知センサ６０（例えば、遮光センサ）が設けられ、上記有無検知センサ６０が通帳の装填を検知し、操作部１０が上記いずれかの処理の実行指示を受け付けると、処理が開始される。これらの処理や通帳証書発行装置１の各部の動作は、制御部１００により制御される。
【００１３】
図２は、通帳ホッパ部３の詳細な内部構造を示すものである。図２に示すように、通帳ホッパ部３は、通帳を重ねて収納し、保管するための保管庫３０１と、保管庫３０１の集積面である底面奥側まで延びて保管庫３０１と上記装填搬送ルート４２を構成する搬送路との間で通帳の搬送をガイドする搬送ガイド３０２と、通帳を搬送ガイド３０２上で搬送するための搬送ローラ１２および搬送ローラ１３と、通帳の通過を検知する通過センサ１６と、通帳を保管庫３０１から搬送ガイド３０２に繰出しまたは通帳を搬送ガイド３０２から保管庫３０１に装填するための繰出しローラ１１とを有して構成されている。
【００１４】
また、図２に示すように、保管庫３０１を形成する側面のうち、搬送ガイド３０２側の側面には、略通帳１冊分が繰出される程度の幅の開口部Ａが設けられ、この開口部Ａから１冊ずつ通帳が繰出されるようになっている。さらに、上記搬送ガイド３０２は、下側の搬送ガイドである搬送ガイド下２０と、上側の搬送ガイドである搬送ガイド上２１とにより構成され、搬送ガイド下２０が保管庫３１０の底面奥側の上記開口部Ａの対向面まで延び、保管庫３０１の底面を形成している。本例では、保管庫３０１に集積された通帳の上方から通帳を押さえるためのオモリ１９が、その積み重ねられた最上段の通帳の上に設けられているが、通帳の自重により確実に繰出すことができれば、必ずしも設けなくともよい。上記各ローラは、例えば、制御部１００により制御されたステッピングモータにより駆動される。以下、具体的に説明する。
【００１５】
保管庫３０１内にスタックされている通帳２２ａの上には、オモリ１９が載っており、通帳２２ａに対して重力方向に荷重が加わった状態となる。通帳２２ａは、搬送ガイド下２０の上に載った状態であり、繰出しローラ１１により、最下段の通帳２２ａが繰出される。通帳証書発行装置１の通常の通帳発行処理においては、繰出しローラ１１が、時計周りに回転することにより、上記最下段の通帳が繰出され、その結果、搬送ガイド３０２、装填搬送ルート４２の一部を経由して、媒体発行口４０に通帳が発行されるものである。当該発行処理で搬送状態にある通帳は、図２では通帳２２ｂとして示している。
【００１６】
通帳２２ｂは、繰出しローラ１１で繰出されると、その直後に具備されている通過センサ９を通過し、搬送ローラ１２によって搬送され、その後、搬送ローラ１３によってさらに搬送されて行くものであるが、本実施例では、図１に示す通帳一括記帳／装填ホッパ２にセットされた通帳が装填搬送ルート４２を通って、通帳２２ｂを矢印２４方向に搬送し、最終的に通帳ホッパ３内に装填することを目的としており、図２は、通帳ホッパ部３の内部に通帳２２ｂが入る直前で且つ、通過センサ１６を通過する直前の状態を示すものである。すなわち、通帳を保管庫３０１から繰出す場合には、通帳２２ｂは通過センサ１６を通過した後の通帳であり、通帳を保管庫３０１に装填する場合には通帳２２ｂは通過センサ１６を通過する前の通帳であることを示している。このように、搬送ガイド３０２や装填搬送ルート４２は、双方向の搬送路として機能する。繰出しローラ１１は、搬送ガイド下２０の搬送面（保管庫３０１の底面ともいえる）よりも下側に回転軸を有した扇型形状のローラであり、図２に示す通帳装填前の状態においては、扇型形状のローラ部分が、搬送ガイド下２０の搬送面よりも下となる位相に位置し、扇型形状のローラ部分が最下段の通帳に接しない位相となっている。
【００１７】
図３は、前記図２の状態の次に遷移した状態を示すものである。矢印２４方向に搬送された通帳２２ｂが通過センサ１６に到達し、通過センサ１６がその通帳２２ｂを検知すると、制御部１００は、それを契機に繰出しローラ１１を、反時計周りに回転させ、通帳２２ａを押し上げた状態の位置で停止させる。これにより、通帳２２ｂの最下段にある通帳は、搬送ガイド下２０の搬送面から離れて、その搬送面と最下段の通帳との間に、繰出しローラ１１径により凡そ通帳１冊以上の厚み程度の空間が作られ、通帳２２ｂがその空間に入り込める状態となる。繰出しローラ１１は、上記したように、特徴となる扇形形状のローラ部分によって、通帳２２ａを持ち上げる方向に作用する位相と、通帳２２ａに接しない位相が存在し、このことが、前記通帳１冊以上の厚みがはいる空間を作り出すことに作用している。図３では、扇型形状のローラ部分が最下段の通帳に接して持ち上げた直後の位相に位置している。
【００１８】
図４は、前記図３の状態の次に遷移した状態を示すものである。前記図３の状態から通帳２２ｂが、搬送ローラ１２によって、任意の時間だけ保管庫３０１内部に搬送された状態である。前記任意時間とは、通帳２２ｂが通過センサ１６を通過した瞬間から通帳２２ｂが繰出しローラ１１に到達するまでに時間、あるいは、その直前の時間である。すなわち、前記任意時間は、繰出しローラ１１の回転速度と搬送ローラ１２、１３の回転速度とを同期させた時間であり、例えば、搬送ローラ１２、１３が搬送している通帳２２ｂに対して繰出しローラ１１の回転速度が遅いことによる負荷がかからないように調整された時間である。図４では、扇型形状のローラ部分が最下段の通帳に接して持ち上げている最中の位相に位置している。
【００１９】
図５は、前記図４の状態の次に遷移した状態を示すものである。前記図４の状態（通過センサ１６を通帳２２ｂが通過してから通帳２２ｂが繰出しローラに到達状態）の次に、繰出しローラ１１が反時計回りに回転し、通帳２２ｂをさらに保管庫３０１の内部へと搬送している状態である。図５では、扇型形状のローラ部分が最下段の通帳に接して持ち上げた後に、繰出しローラ１１の弧で保管庫３０１に引き込んでいる位相に位置している。
【００２０】
図６は、前記図５の状態の次に遷移した状態を示すものである。前記図５の状態から更に繰出しローラ１１が回転することで、通帳２２ｂは完全に保管庫３０１内に入り込んだ状態を示すものである。図６では、扇型形状のローラ部分が最下段の通帳を保管庫３０１に引き込んだ後の位相に位置している。以上の図２から図６に示した状態で通帳が通帳ホッパ部３の保管庫３０１内に装填されるものである。
【００２１】
上記実施例では、搬送ガイド３０２を構成する搬送ガイド下２０が、搬送ガイド３０２と保管庫３０１の底面とを形成している。しかし、保管庫３０１の上記開口部Ａまでを搬送ガイド下２０とし、上記底面を保管庫３０１の底面で構成し、これらを接続して構成してもよい。この場合、底面に繰出しローラ１１を設けた保管庫３０１を既存の搬送ガイド３０２の搬送ガイド下２０に接続するだけで、上記動作を実現することができ、既存の資産を有効に活用しつつ、低コストで、通帳ホッパ部３を構成することができる。
【００２２】
このように、保管庫の搬送ガイド側の側面下側の１箇所に開口部を設け、搬送されてくる通帳を検知した場合に繰出しローラを回転させ、収納されている通帳を押し上げることにより、上記開口部Ａ付近に通帳の厚み程度の空間を形成するので、上記開口部Ａに向けて搬送されてくる通帳を人手によらず自動的に収納することができる。また、保管庫３０１に集積されている通帳を繰出す場合には、繰出しローラを逆方向に回転させ、最下段の通帳を上記開口部Ａから搬送路に繰出すので、同じ搬送路を用いて通帳を繰出すことができる。
【００２３】
従来は、通帳を収納する場合には、保管庫の上方から新たな通帳を装填し、保管庫の下方から繰出すなど、通帳の収納口と繰出し口とを異なる位置としていたが、本実施例では、通帳の繰出し口と収納口を同じ位置とすることができる。このため、保管庫に設ける開口部は１箇所で済むため、より簡素な構成で通帳ホッパ部を構成することができる。さらに、人手によることなく自動で通帳の収納や繰出しを行うことができる。
【００２４】
なお、上記実施例では、通過センサ１６を搬送ガイド３０２側に設けているが、保管庫３０１側の開口部Ａ付近に設けてもよい。この場合、確実に保管庫３０１に通帳が収納されたことを検知することができる。さらに、通過センサ１６の位置は、通帳２２ｂの搬送速度に応じてその位置を定められてもよい。例えば、通帳２２ｂの搬送速度が速い場合には、通過センサ１６による通帳２２ｂの検知から繰出しローラ１１に到達するまでの時間が短いため、より搬送ガイド３０２側に設け、通帳２２ｂの搬送速度が遅い場合には、通過センサ１６による通帳２２ｂの検知から繰出しローラ１１に到達するまでの時間が長いため、より保管庫３０１側に設けてもよい。前者の場合、通帳２２ｂが、通過センサ１６により検知されたものの、保管庫３０１に最後まれ押し込まれていない状態となる場合も想定される。この場合には、例えば、図６に示すように、保管庫３０１の底面の通帳２２ｂの収納位置（例えば、上記開口部Ａの対向面側）に、遮光センサ等により構成されるセンサ３０３を設けておき、センサ３０３が通帳２２ｂを検知するまで、制御部１００の指示のもと、繰出しローラ１１を反時計回りに繰り返し回転させてもよい。このような構成とすることにより、物理的な制約等によって通過センサ１６が上記保管庫３０１側の開口部Ａ付近に設けることができない場合であっても、上記と同様の効果を得ることができる。
【００２５】
以下、本発明の第二の実施形態について図面を使用しながら詳細に説明する。
【００２６】
図７は、通帳ホッパ部３の詳細な内部構造を示すものである。図７は、通帳ホッパ部３の手前まで矢印２４方向に搬送された通帳２２ｂは、通過センサ１６を通過する直前の状態を示しており、ちょうど搬送ローラ１１と搬送ローラ１２に保持されている状態を示している。通帳２２ｂの搬送速度は任意の速度で搬送が可能な構造であり、第一の実施形態の場合と同様、例えば、搬送ローラを、ステッピングモータを用いて駆動させる。また、図７では、扇型形状のローラ部分が、搬送ガイド下２０の搬送面よりも下となる位相に位置し、扇型形状のローラ部分が最下段の通帳に接しない位相となっている。
【００２７】
図８は、前記通帳２２ｂが、通過センサ１６を通過し遮光した瞬間の状態を示す。図８に示すように、通過センサ１６が当該通帳２２ｂの通過を検知すると、例えば、通過センサ１６が赤外線センサである場合、通帳２２ｂがセンサ間の赤外光を遮光すると、制御部１００がその検知信号を受けて通帳２２ｂが通過センサ１６を通過したと判断する。そして、制御部１００は、持ち上げレバー１４と持ち上げレバー１５を、それぞれ矢印２６、矢印２７方向に回転させ、保管庫３０１内にスタックされている通帳２２ａを保持し、ワイヤロープ１７と、ワイヤロープ１８が、矢印２５方向に引き上げられることによって、通帳２２ａは矢印ロ２５方向に持ち上げられた状態となる。ワイヤロープを引き上げる方法としては、例えば、電磁ソレノイド、ステッピングモータ、サーボモータ、ＤＣモータなどの駆動部を、制御部１００からの指示に従って駆動させる。このようなワイヤロープを引き上げる引き上げ機構により、第一の実施形態と同様の効果を得ることができる。のものとする。また、ワイヤロープを引き上げる量については、前述したとおり、通帳１冊以上の厚さの量を引き上げるものとする。それにより、通帳が装填されるスペースが生まれる。図８では、図７の場合と同様、扇型形状のローラ部分が、搬送ガイド下２０の搬送面よりも下となる位相に位置しているが、上記通過センサ１６が通帳２２ｂを検知すると、制御部１００からの指示により、繰出しローラ１１の回転が開始される。
【００２８】
図９は、前記図８に示す状態から、繰出しローラ１１を反時計周りに回転することによって、通帳２２ｂを矢印２４方向に搬送され、ホッパ内に搬送されている状態を示すものである。このとき、繰出しローラ１１は、通過センサ９を通帳２２ｂが抜けて（遮光から遮光しなくなくなる状態）から、任意の量だけ回転させることが可能である。図９では、扇型形状のローラ部分が、搬送ガイド下２０の搬送面よりも上となる位相に位置し、繰出しローラ１１を回転させることにより、扇型形状のローラ部分の弧が通帳２２ｂを保管庫３０１に引き込んで保管庫３０１に収納している。
【００２９】
図１０は、前記図９に示す状態から、当該通帳２２ｂが最終的にホッパ内に全部入った状態を示すものである。前記繰出しローラ１１を、通過センサ９を通帳が抜けてから任意量回転させ終わった状態を示すものである。前記任意量の回転が少ないと通帳は完全にホッパ内に入らない場合があるため、ここでの任意量とは、繰出しローラが回転する周長（但し、図に示しているローラ形状は完全円ではなく、扇型形状であるため、周長は、その形状に見合った量だけ搬送されるものである）が、通帳をホッパ内に完全に入り得る量である。またこの場合、通帳と繰出しローラ１１がスリップする可能性もあるため、完全に入り得る量に対し更に増やした量とすることが望ましい。さらに、上記周長となるために、繰出しローラを複数回回転させてもよい。図１０では、通帳２２ｂの保管庫３０１への搬送が終わり、扇型形状のローラ部分が、搬送ガイド下２０の搬送面よりも下となる位相に位置し、扇型形状のローラ部分が搬送してきた通帳に接しない位相となっている。
【００３０】
図１１は、前記図１０に示す状態から、持ち上げレバー１７と持ち上げレバー１８を矢印２８方向に降ろして、持ち上げレバー１４と持ち上げレバー１５を、それぞれ矢印２９、矢印３０方向に回転させ、ホッパ内の通帳２２ａを開放した状態を示すものである。各レバーの開放は、同時でも良いし、いずれか一方を開放した後に、もう一方を開放するのでも良い。また、開放した後に矢印２９方向、矢印３０方向に移動させる量や速度は任意に調整できる構造としても良いし、固定しても良い。いずれにせよ、ホッパ内に持ち上げられた通帳を確実に開放しホッパ内に落とす（元の位置に戻す）ことができればよい。すなわち、ワイヤロープ１７とワイヤロープ１８が、矢印２５方向に引き下げられることによって、持ち上げレバー１３と持ち上げレバー１４を、それぞれ矢印２９、矢印３０方向に回転させ、保管庫３０１内にスタックされている通帳２２ａを開放する。このような動作により、矢印ロ２５方向に持ち上げられた通帳２２ａが下方に落ち、搬送されてきた通帳２２ｂの上に積み重ねられる。
【００３１】
以上のように、図７〜１１の状態により、通帳２２ｂがホッパ内に装填されるものである。また、通帳の搬送は常に連続的に搬送されるものとは限らず、上記したように、速度も任意に変化させられるような機構、構造でもよい。また、センサによる位置検知結果から、搬送ローラや繰出しローラを回転させても通帳が当該通過センサの位置検知情報に変化が見られない場合は、上記したようにリトライ動作として再度当該動作を繰り返したり、あるいは、部分的に任意の搬送動作を行うことも可能な構造である。いずれにせよ、通帳の搬送制御については、任意に制御可能な機構、構造とする。図１には、通帳ホッパ部３を四角Ｘで囲んで示しているが、図１内には、当該ホッパ部が合計例えば１０個あり、通帳一括記帳／装填ホッパ２にセットした通帳は、任意のホッパに格納することが可能である。それは、制御部１００が、図１の操作パネル部１０に格納したいホッパを選択することが可能な画面を表示し、操作パネル部１０に具備されているタッチパネルによってホッパを選択することが可能なものである。以下、具体的に説明する。
【００３２】
図１３は、操作部１０が表示する画面例を示す図である。図１３では、通帳処理メニューを選択する選択画面の例を示している。図１３に示すように、選択画面では、通帳を通帳ホッパ部３に装填するための通帳装填、通帳ホッパ部３に装填されている通帳を繰出して発行する通帳発行、通帳に取引内容を記帳するための通帳記帳、の３つの処理が選択可能なボタンが表示されている。図１３では、通帳装填が選択されていることがわかる。
【００３３】
図１４は、操作部１０が表示する画面例を示す図である。図１４では、通帳装填を実行するための実行画面の例を示している。図１４に示すように、実行画面では、通帳の装填方法（自動または手動）を選択するための装填方法選択欄１０１と、通帳を装填する通帳ホッパ部３を選択するためのホッパ選択欄１０２とが表示されている。また、ホッパ選択欄１０２には、通帳／証書ホッパユニット４に対応するホッパ部表示欄４１、通帳ホッパユニット５に対応するホッパ部表示欄５１、通帳ホッパユニット６に対応するホッパ部表示欄６１、および処理の実行ボタンが表示されている。また、図１４では、通帳の装填方法として自動が選択され、ホッパ部表示欄５１に表示された中段のホッパ部のうち最も右のホッパ部３１が通帳を装填するホッパ部として選択されていることを示している。
【００３４】
図１５は、操作部１０が表示する画面例を示す図である。図１５では、選択されたホッパ部に装填する通帳の種類や数を指定するための詳細画面の例を示している。図１５に示すように、詳細画面では、装填する通帳の種類を示す通帳種類欄３１１と、選択されたホッパ部に装填する通帳の数を指定するための入力欄３１２とが表示されている。図１５では、装填する通帳として総合口座用の通帳を２５冊装填することが指定されている。通帳冊数の指定は、例えば、カーソル３１３をスライドさせたり、＋−キーを押下する等してその値を変更することができる。操作部１０がこれらの入力情報の入力を受け付けると、制御部１００は、現在装填されている冊数を確認し、装填可能か否かを判定する。上記確認は、例えば、過去に繰り出しまたは装填した通帳の冊数と、ホッパ部にフルに装填可能な通帳の冊数との差分から現在受け入れ可能な通帳の冊数を算出することにより判断することができる。図１５では、選択されたホッパ部３には、１００冊の通帳がフルに装填可能であり、現在１５冊の通帳が装填され、このホッパ部に収納される通帳が２５冊となるように、通帳の冊数が指定されている状態であることがわかる。
【００３５】
このように、操作部１０では、通帳の装填方法（自動、手動）、選択したホッパ部の通帳の装填状況（装填可能な通帳の総数、現在装填されている通帳の冊数、装填予定の通帳の冊数を、通帳の種類ごとに確認することができるようになっている。操作部１０がこれらの情報を表示することにより、係員は、どの種類の通帳がどの程度不足しているのか、どれくらい通帳を補充すべきか等、通帳の装填状況を一目で把握することができる。
【００３６】
なお、実際の処理は、操作部１０が、図１２に示した選択画面に表示された「通帳装填」ボタンの押下を受け付けると、制御部１００は、図１４に示した実行画面を操作部１０に表示する。このとき、装填方法として「自動」が選択され、装填するホッパ部を指定すると、図１５に示した詳細画面が表示され、装填する通帳の冊数の指定が受け付けられる。操作部１０が、上記実行画面においてホッパ部の複数指定を受け付けた場合には、制御部１００は、それぞれの詳細画面を操作部１０に表示する。その後、操作部１０が係員から図１４に示した実行画面において実行ボタンの押下を受け付けると、制御部１００は、指定されたホッパ部への通帳の装填が開始させる。例えば、複数の通帳ホッパ部にそれぞれ１０冊ずつの通帳を装填するように指定すると、各ホッパに通帳が１０冊ずつ装填される。
【００３７】
その詳細な動きとしては、通帳ホッパ部３は、通帳発行時には、装填搬送ルート４２と逆方向を通りながら、通帳証書処理ユニット７の内部に到達すると、その後、通帳が処理（印字、通帳表紙捲り動作、通帳バーコードリード、磁気ストライプライトなどの処理）され、最終的に媒体発行口４０に通帳を搬送するが、本実施例では、通帳一括記帳／装填ホッパ２にセットされた通帳を通帳ホッパ部３まで搬送し、既に通帳が通帳ホッパ３内にセットされている場合は、当該通帳２２ａを持ち上げて通帳を自動装填する。上記したように、通帳２２ａを持ち上げる量は通帳が１冊以上入ることができるスペース分である。このように、装置の構造としては、通帳ホッパ部３に、最小限の機構を具備することで通帳の自動格納を実現することができ、低コスト、省スペースにて実現可能である。また、通帳を自動装填する場合は、搬送ローラ８にて搬送路を通って通帳が運ばれるため、途中で通過センサ９を通過することから、制御部１００は、何冊通帳が搬送されたかをカウントすることが可能となる。よって、通帳ホッパ内の通帳冊数が確定している状態であれば、通帳の在高管理を行うことも可能である。
【００３８】
以下、本発明の第三の実施形態について図面を使用しながら詳細に説明する。
第一、第二の実施形態においては、通帳一括記帳／装填ホッパ２にセットされた通帳は、全て同一の種類の通帳を想定しているが、通帳一括記帳／装填ホッパ２に複数の種類の通帳がセットされた場合、通帳一括記帳／装填ホッパ２から繰出された通帳がどの通帳ホッパに装填されるか管理できない。よって、本実施形態では、通帳一括記帳／装填ホッパ２から繰出された通帳を、イメージスキャナ５０によって、通帳の表紙の画像を撮像する。そして、制御部１００は、予め装置内部の記憶部に登録されていた画像から、当該通帳がどの通帳ホッパに登録されているものかを判別し、当該通帳がどの通帳ホッパに登録されているものであると判別した場合は、その通帳ホッパに当該通帳を装填する制御を行うものである。
【００３９】
この場合、通帳を判別する手段として、制御部１００は、イメージスキャナ５０による画像認識技術を用いて読み取られた画像情報の場合や、あるいは磁気ヘッドを用いて、通帳の磁気ストライプ等の磁気情報に予め記録された情報を読み取り通帳を判別するものでも良い。いずれにせよ、通帳を前記手段で判別し、判別した結果、その通帳と同じ通帳がセットされている（あるいはホッパに登録されている）ホッパに当該通帳を装填することができればよい。
【００４０】
図７は、前記説明した動作を制御フローとして表したものである。通帳自動装填処理Ｓ１では、制御部１００は、初めにＳ１０の処理にて、操作部１０が図１３に示した選択画面において通帳装填ボタンの押下を受け付けたか否かを判定する。通帳装填であると判定されると（Ｓ１０；Ｙｅｓ）、制御部１００は、次にＳ１１の処理にて、図１４に示した実行画面において自動装填が指定されたか否かを確認する。このとき自動装填でないと判断された場合は（Ｓ１１；Ｎｏ）、制御部１００は、Ｓ２の処理として指定装填処理と判断し、図１５の詳細画面において指定されたホッパ部、冊数等の入力情報にしたがって、当該ホッパに通帳を装填する処理を実行する。
【００４１】
一方、自動装填と判断された場合は（Ｓ１１；Ｙｅｓ）、制御部１００は、Ｓ１２の処理に通帳一括記帳／装填ホッパ２内に通帳が入っているかどうかを、当該ホッパ内に具備された媒体有無検知センサ６０の検知情報から判断する（Ｓ１２）。制御部１００は、当該ホッパ内に媒体が無い場合は（Ｓ１２；Ｎｏ）、そこで本処理は終了する。一方、媒体がありと判断された場合（Ｓ１２；Ｙｅｓ）、制御部１００は、次にＳ１３の処理にて当該ホッパ２より通帳を繰出す動作を行う（Ｓ１３）。
【００４２】
そして次のＳ１４の処理にて搬送中に通帳をイメージスキャナ５０あるいは、磁気ヘッドにて通帳の種別を識別し、制御部１００は、Ｓ１５の処理にて装置の処理部にて当該通帳がどのホッパに登録されているかを判定し、装填対象ホッパありと判定した場合（Ｓ１５；Ｙｅｓ）、当該通帳と同じ通帳が登録（セット）されているホッパに当該通帳を装填（Ｓ１６）する。当該通帳を装填したら、再度Ｓ１２の処理を行い、通帳一括記帳／装填ホッパ内に通帳が無くなるまで、このフローを繰り返し、当該ホッパの通帳を全て該当するホッパに装填し処理を終了する。このように、通帳証書発行装置１では、搬送路３０２と、搬送路３０２側に開口部Ａを有し、通帳等の媒体を集積して収納する保管庫３０１と、保管庫３０１に集積されている通帳等の媒体の下側に、搬送路３０２から開口部Ａに向けて搬送される通帳等の媒体を保管庫３０１に装填するための空間を形成する機構部（例えば、繰出しローラや引き上げ機構）を有し、上記処理を実行するので、簡易な構造で、人手によることなくホッパから通帳等の媒体を自動装填したり、自動繰出しすることが可能になる。
【符号の説明】
【００４３】
１：通帳証書発行装置
２：通帳一括記帳／装填ホッパ
３：通帳ホッパ部
４：通帳／証書ホッパユニット
５：通帳ホッパユニット
６：通帳ホッパユニット
７：通帳証書処理ユニット
８：搬送ローラ
９、１６：通過センサ
１０：操作パネル部
１１：繰出しローラ
１２：搬送ローラ
１３：搬送ローラ
１４、１５：持ち上げレバー
１７、１８：ワイヤロープ
１９：オモリ
２０：搬送ガイド下
２１：搬送ガイド上
２２ａ：通帳（スタック状態）
２２ｂ：通帳（搬送状態）
４０：媒体発行口
４１：リジェクトボックス
４２：装填搬送ルート
６０：有無検知センサ
【図１】
2017138838.tif 000003
【図２】
2017138838.tif 000004
【図３】
2017138838.tif 000005
【図４】
2017138838.tif 000006
【図５】
2017138838.tif 000007
【図６】
2017138838.tif 000008
【図７】
2017138838.tif 000009
【図８】
2017138838.tif 000010
【図９】
2017138838.tif 000011
【図１０】
2017138838.tif 000012
【図１１】
2017138838.tif 000013
【図１２】
2017138838.tif 000014
【図１３】
2017138838.tif 000015
【図１４】
2017138838.tif 000016
【図１５】
2017138838.tif 000017